(57)【特許請求の範囲】
【請求項１】
機裏側の機構セット盤(C)に装備された球貯留排出部(4)と、同セット盤(C)下方に形成された賞球排出路(5,7)および球抜き排出路(9)との間に、ケース体(26,41)に球の払出しと球流路の切換えとに係る構成部品を組込んで構成された上方の球払出し部(30)と下方の球切換え排出部(47)とが着脱可能に収容セットされて、ゲーム入賞に対する賞球の払出しと球抜き操作に対する球抜きとをなし得るパチンコ遊技機において、
前記機構セット盤(C)の球貯留排出部(4)の下方に、前記球払出し部(30)と球切換え排出部(47)とを上下に合わせた状態で収容し得る収容室(25)を形成する一方、前記球払出し部(30)と球切換え排出部(47)とは、互いのケース体(26,41)の整合対向面に左右および前後の向きに位置決めされて上下の向きに係脱し得る凹孔部(69)と突部(67)とによる上下の差込み形態からなる係合手段(61)を形成すると共に、少なくとも一方のケース体(26,41)外側に、前記収容室(25)におけるケース体(26,41)を収容した際にケース体(26,41)外側と対向する位置に設けられた係合部(82)に対して上下の向きに係脱し得る係合部(83)を形成し、前記収容室(25)に対して、前記球切換え排出部(47)に次いで球払出し部(30)を順に収容して両者(30,47)が上下の整合連通化状態で位置決めセットし得る一方、球払出し部(30)に次いで球切換え排出部(47)を順に組外し得るようにし、
前記収容室(25)の上方に、扇状の係合盤(75)が一体的に形成された施錠部材(70)を回動可能に配設する一方、前記球払出し部(30)のケース体(26)における上面に、上方に延出する係合片部(68)を一体的に形成すると共に、該係合片部(68)に施錠部材(70)における係合盤(75)のカム縁(75a)が摺接する曲面状の係合面(68a)を形成し、前記施錠部材(70)を、係合盤(75)が収容室(25)の上端部から退避したロック解除位置に保持させた状態において、前記球切換え排出部(47)を収容した収容室(25)の上部に前記球払出し部(30)を収容し、ロック解除位置の施錠部材(70)を、係合盤(75)が収容室(25)の上端部に位置して前記係合片部(68)に係合するロック係止位置まで回動変位することで、前記係合手段(61)の係止作用および係合盤(75)と係合片部(68)との係合作用下に、該球払出し部(30)および球切換え排出部(47)を収容室(25)に固定セットするよう構成し、
前記係合片部(68)に、前記施錠部材(70)がロック係止位置に回動変位した際に、前記係合盤(75)に突設した突片(76)が整合突入する係合溝(77)を凹設し、
前記施錠部材(70)がロック係止位置とロック解除位置との間を回動する際の前記突片(76)が移動する軌跡に対応した位置に突部(79)を形成し、施錠部材(70)が回動変位する際には、前記突片(76)が前記突部(79)に接触して回動変位を制御し、施錠部材(70)がロック解除位置に変位した際には、突部(79)の端部に突片(76)が位置して施錠部材(70)をロック解除位置に保持するようにし、
前記球払い出し部(30)のケース体(26)に形成した球通路(28)に連通する前記球貯留排出部(4)の送出樋(4c)からのパチンコ球の通出規制を行なう可動規制部材(87)を設け、前記可動規制部材(87)は、前記施錠部材(70)がロック解除位置に保持されている状態においては、該可動規制部材(87)に設けた連繋ピン(88)が前記カム縁(75a)に係合して、可動規制部材(87)の規制弁(89)が前記送出樋(4c)へ延出して該送出樋(4c)からのパチンコ球の流出を規制する規制状態に姿勢保持され、施錠部材(70)をロック係止位置に変位させた際には、前記連繋ピン(88)が施錠部材(70)に形成した係合口(80)に係合することで、可動規制部材(87)の規制弁(89)が送出樋(4c)から退避して該送出樋(4c)からのパチンコ球の流出を許容する規制解除状態に姿勢保持されるよう構成した
ことを特徴とするパチンコ遊技機。
【発明の詳細な説明】
【０００１】
【発明の属する技術分野】
この発明は、パチンコ遊技機に係り、更に詳しくは、機裏側に貯留したパチンコ球を、ゲームの入賞成立に対する賞球として遊技者(球皿)側へ排出し得る一方、球抜き操作により戻し球(返し球)として機外へ排出し得るパチンコ遊技機に関するものである。
【０００２】
【従来の技術】
パチンコ機やアレンジボール機に代表されるこの種の遊技機では、遊技操作に基づいて開始される１球毎の球送り発射制御作動により、球皿から発射位置に送込まれた遊技球を遊技盤内に打出して所要のパチンコゲームを行ない得る。そして、このゲーム中の入賞条件(セーフ球の発生や入球による図柄組合わせの得点成立等)に対して、機裏側の球貯留排出経路部内に貯留された球が、賞球払出装置の払出し作動毎に所定数の賞球として払出されて、所定の賞球経路から上球皿および下球皿へ給出される。一方、遊技機の取扱いにより球貯留排出経路部内の相当量の貯留球を抜取る必要がある場合には、一般に前枠の正面側部に形成された操作孔から操作杆を挿入して機裏側の球流路の切換え装置を作動させることにより、賞球経路と球抜き路との分岐連絡部に設けられた切換え弁を球抜き状態(球戻し位置)に保持したもとで、貯留球を球抜き路から機外の裏側へ放出し得るようになっている。なお操作杆は、針金状材に摘み部を付けた程度のものでホール管理者側で管理されるが、入手容易な直線材でも十分代用できる。
【０００３】
このようなパチンコ遊技機にあって、賞球の払出しとは別に、球抜き操作によりすべての貯留球を払出し可能にする形態として、一般に前記賞球払出装置では、入賞条件毎に対する電動具(ソレノイドやモータ)の駆動制御により、球経路に臨む球送り体を回転制御させながら賞球を払出してカウント検出する電動タイプが使用され、また前記球流路の切換え装置では、前述の操作杆で作動されるスイッチの検出入力に基づく電磁ソレノイドの駆動制御により、前記切換え弁を球抜き(戻し)位置に切換え保持して抜出す電気タイプが使用されている。そして双方の装置の実施形態として、遊技盤点検用の窓口を設けた裏側の機構セット盤の側縁部において、賞球払出装置が球貯留排出経路部の下流部に合わせて設置され、また切換え装置が賞球払出装置の下流に連通する賞球経路と球抜き路との分岐連絡部に設置されて、球抜き操作におけるスイッチの検出入力に基づいて、切換え弁の切換え保持および賞球払出装置の解放条件のもとで、抜出された全ての貯留球を放出し得るようになっている。
【０００４】
なお前記切換え装置については、操作杆の他に、外枠から開放された前枠の裏側において、指先操作によりスイッチを操作検出できるようになっている。また双方の装置では、電子制御装置での球抜き制御処理として、前記スイッチの検出入力を１回だけ有効化し、球抜き作動後には正常な復旧処理として電源再投入または電子制御装置に係るリセット入力操作を行なう。そしてこの処理を行なわない限り、同スイッチの以後の検出入力を無効として球抜き不能に設定されている。このもとで、前記電動具および電磁ソレノイドが、球抜き用のスイッチの検出入力に対する電子制御装置でのタイマー設定条件に基づいて、所定時間経過後に自動復帰するように設定されている。
【０００５】
【発明が解決しようとする課題】
ところで、前記球払出し部を収容セットした賞球払出装置と球切換え排出部を収容セットした切換え装置とは、前記設置部において上下に隣接して設置されるにも拘らず、夫々が単独した個別の装置としてケース体単位で取扱われ、該設置部に対する組付けにおいてもネジやビス等を利用して別々に取着固定するようになっていた。すなわち、賞球払出装置の取着固定に複数個のネジやビスを使用し、また切換え装置の取着固定にも複数個のネジやビスを使用するから、ドライバー等の所要工具による締付け作業に手間や時間が掛かり、組立作業の合理化や簡素化の障害となっていた。また、前記賞球払出装置や切換え装置の修理,点検あるいは交換等に際して該装置を設置部から取外す必要がある場合には、所要工具による複数個のネジ等の弛み外し作業に手間や時間が掛かってしまい、メンテナンス性が低い欠点を内在していた。更に、当該パチンコ遊技機の廃棄処理に際しては、前記各装置の取外し難さを起因として部品毎の分解作業が煩雑で時間が掛かるため、廃棄処理のコストが嵩むと共にリサイクルの迅速化および合理化を図るうえで大きな障害となっていた。
【０００６】
【発明の目的】
本発明は、前述した課題を好適に解決するべく新規に提案されたもので、機裏側の機構セット盤の球貯留排出部の下方に、ケース単位で構成されて取扱い得る球払出し部および球切換え排出部を、ビスや工具を不要とした片手操作により手早く簡単に組付け得ると共に組外し得るようにしたパチンコ遊技機を提供することを目的とする。
【０００７】
【課題を解決するための手段】
前記課題を解決し、所期の目的を達成するため本発明は、
機裏側の機構セット盤に装備された球貯留排出部と、同セット盤下方に形成された賞球排出路および球抜き排出路との間に、ケース体に球の払出しと球流路の切換えとに係る構成部品を組込んで構成された上方の球払出し部と下方の球切換え排出部とが着脱可能に収容セットされて、ゲーム入賞に対する賞球の払出しと球抜き操作に対する球抜きとをなし得るパチンコ遊技機において、
前記機構セット盤の球貯留排出部の下方に、前記球払出し部と球切換え排出部とを上下に合わせた状態で収容し得る収容室を形成する一方、前記球払出し部と球切換え排出部とは、互いのケース体の整合対向面に左右および前後の向きに位置決めされて上下の向きに係脱し得る凹孔部と突部とによる上下の差込み形態からなる係合手段を形成すると共に、少なくとも一方のケース体外側に、前記収容室におけるケース体を収容した際にケース体外側と対向する位置に設けられた係合部に対して上下の向きに係脱し得る係合部を形成し、前記収容室に対して、前記球切換え排出部に次いで球払出し部を順に収容して両者が上下の整合連通化状態で位置決めセットし得る一方、球払出し部に次いで球切換え排出部を順に組外し得るようにし、
前記収容室の上方に、扇状の係合盤が一体的に形成された施錠部材を回動可能に配設する一方、前記球払出し部のケース体における上面に、上方に延出する係合片部を一体的に形成すると共に、該係合片部に施錠部材における係合盤のカム縁が摺接する曲面状の係合面を形成し、前記施錠部材を、係合盤が収容室の上端部から退避したロック解除位置に保持させた状態において、前記球切換え排出部を収容した収容室の上部に前記球払出し部を収容し、ロック解除位置の施錠部材を、係合盤が収容室の上端部に位置して前記係合片部に係合するロック係止位置まで回動変位することで、前記係合手段の係止作用および係合盤と係合片部との係合作用下に、該球払出し部および球切換え排出部を収容室に固定セットするよう構成し、
前記係合片部に、前記施錠部材がロック係止位置に回動変位した際に、前記係合盤に突設した突片が整合突入する係合溝を凹設し、
前記施錠部材がロック係止位置とロック解除位置との間を回動する際の前記突片が移動する軌跡に対応した位置に突部を形成し、施錠部材が回動変位する際には、前記突片が前記突部に接触して回動変位を制御し、施錠部材がロック解除位置に変位した際には、突部の端部に突片が位置して施錠部材をロック解除位置に保持するようにし、
前記球払い出し部のケース体に形成した球通路に連通する前記球貯留排出部の送出樋からのパチンコ球の通出規制を行なう可動規制部材を設け、前記可動規制部材は、前記施錠部材がロック解除位置に保持されている状態においては、該可動規制部材に設けた連繋ピンが前記カム縁に係合して、可動規制部材の規制弁が前記送出樋へ延出して該送出樋からのパチンコ球の流出を規制する規制状態に姿勢保持され、施錠部材をロック係止位置に変位させた際には、前記連繋ピンが施錠部材に形成した係合口に係合することで、可動規制部材の規制弁が送出樋から退避して該送出樋からのパチンコ球の流出を許容する規制解除状態に姿勢保持されるよう構成したことを特徴とする。
【０００８】
【作用】
球払出し部のケース体の下部に係合手段としての突部または凹孔部が形成され、また球切換え排出部のケース体の上部に係合手段としての凹孔部または突部が形成され、これら凹孔部と突部との上下方向への差込み係合下に、両ケース体は互いに左右および前後方向に位置決めされた状態に係着される。前記球払出し部のケース体と球切換え排出部のケース体が係着される前提において、少なくとも一方のケース体の外側に係合部を形成すると共に、収容室に臨む所定位置に該係合部が上方から係合可能な係合部を形成することにより、これら係合部同志の係合下に両ケース体が収容室に取着される。例えば、球払出し部のケース体の外側に係合部を形成し、収容室に該係合部が係合する係合部を形成した場合では、球切換え排出部を収容室に適宜位置決めした状態において、前記係合部同志を係合させることで球払出し部が収容室に取着され、これと同時に前記凹孔部と突部とが係合するので、球切換え排出部は該球払出し部を介して収容室に好適に固定される。一方、球切換え排出部のケース体の外側に係合部を形成し、収容室に該係合部が係合する係合部を形成した場合では、前記係合部同志を係合させることで球切換え排出部が収容室に取着され、次いで前記凹孔部と突部とを係合させることで、球払出し部は該球切換え排出部を介して収容室に好適に固定される。
【０００９】
【発明の実施の形態】
次に、本発明に係るパチンコ遊技機について、好適な実施例を挙げて、添付図面を参照しながら、以下詳細に説明する。なお本実施例では、遊技球を１個ずつ遊技盤内に打出して遊技球の入賞ゲーム(アウト球とセーフ球との区分)を展開するタイプにあって、機裏側の貯留球を、入賞成立(セーフ球の発生)に対する賞球と、球貸しシステムを利用した遊技用の貸し球とに区分排出して球皿側へ供給し得るパチンコ機の場合を主に例示する。
【００１０】
先ず、図１に略示するパチンコ機および図２に略示する球処理部について要約説明すると、外枠Ａに組付けられた前枠Ｂの裏側に、夫々の球処理部を有する機構セット盤Ｃが着脱可能にセットされている。このセット盤Ｃでは、遊技盤点検用の窓口１の周囲において、アウト球用の排出路２とセーフ球用の処理路３が区画形成されている一方、賞球用の球貯留排出経路部(賞球貯留排出部)４として、最上端の球タンク４ａと整列用の整流樋４ｂおよび減圧用の送出樋４ｃが順に連設されて、相当数のパチンコ球を貯留して送出し得るようになっている。また送出樋４ｃの下流端に、後述する賞球払出装置Ｆおよび球流路の切換えユニット装置Ｇが着脱可能にセットされており、該切換えユニット装置Ｇの出口下方に、上下の球皿(図示しない)側に連絡される第１,第２の賞球路(賞球排出路)５,７が形成され、第１の賞球路５の上流部から分岐された球抜き路９が下部外側に形成されて、前記排出路２および処理路３に連絡されている。なお、第１の賞球路５は供給口６を介して上球皿の上流部に連絡され、また第２の賞球路７は供給口６の側方から分岐されて前枠Ｂの下部裏側に取着された容器８を介して下球皿に連絡されている(図１および図２参照)。
【００１１】
前述した機構セット盤Ｃにおけるその余の構成として、図１および図２に略示するように、前記整流樋４ｂと送出樋４ｃとの直交連絡部位に、賞球単列化用の球送り整列部１０が装備され、また整流樋４ｂの所定位置に貯留球検出用のスイッチ１１が設置され、そして第２の賞球路７の途上に賞球充満検出機構１２が組込まれている。一方、送出樋４ｃの近傍に球抜き操作手段としてのレバー１３およびスイッチ１４が組付けられており、そして前記処理路３にセーフ球検出処理装置Ｄが着脱可能にセットされている。この装置Ｄでは、セーフ球を１個ずつ停留検出して賞球払出し後に解放通出する電動形態であって、図２および図３に例示するように、処理路３と連通する通路１６を形成した本体１５に、通路１６内のセーフ球を１個ずつ通過検出し得るスイッチ１７と、このスイッチ１７の上,下方に位置するストッパー部１８ａ,１８ｂを形成して、１回毎の処理作動によりセーフ球に対する拘束と解放とによる通入出規制を行なうレバー状の規制処理部材１８と、同部材１８を各規制状態に交互に切換え操作する電磁ソレノイド１９とを組付けて、全体が本体単位で構成・取扱い得るようになっている。なお図１中、２０は電源部(ＡＣ２４Ｖ)に接続されるターミナル基板、２１はゲーム内容を制御する第１電子制御装置、２２はセーフ球検出処理並びに賞球排出(払出しと球抜き)を制御する第２電子制御装置を夫々示す。
【００１２】
このような本実施例のパチンコ機は、遊技ホール内の設置枠台(通称「島」)の各区画枠内に前記球貸しシステムと共に設置されて縦向きで遊技に供される。この状態において、図示しないが、各列毎の設置枠台の補給設備における配球ユニットから必要時に供給される相当量のパチンコ球を、前記球貯留排出経路部４の球タンク４ａ内に受入れて各樋４ｂ,４ｃに収容しており、パチンコゲーム中に発生したセーフ球に対して所定数の賞球を払出し得る。一方球貸しシステムでは、前記スイッチ１１の球有り検出条件において、使用するカードの有効金額内における一定額単位に対して設定数球の貸出し制御をなすもので、カードリーダ２３およびカード挿入口等を有するカードユニットＥが外枠Ａ外側に装備されて(図１参照)、前枠Ｂの裏側下部に設置された中継制御部(インターフェースボードともいう)２４に、カードリーダ２３と上球皿側の球貸し操作部および前記第２電子制御装置２２が夫々接続されている。そして、カードリーダ２３の球貸し判読制御処理条件に応答して後述の賞球払出装置Ｆが作動されることにより、払出された貸し球が上球皿へ供給されるようになっている。
【００１３】
前述したパチンコ機に実施される賞球払出装置Ｆは、前記第２電子制御装置２２で制御作動されるもとで、セーフ球に対する賞球と遊技用の貸し球との区分排出並びに貯留球の抜出しの制御をなす電子制御作動形態のもので、図１および図２に略示するように、前記機構セット盤Ｃの設置部内に着脱可能にセットされている。この賞球払出装置Ｆでは、基本的な構成として図４〜図６に示すように、縦長方形箱状にユニット化された合成樹脂製のケース体２６内に球通路を区画形成すると共に、この球通路に臨む部位に電動式の球払出し部３０を夫々組付けて、ケース体毎に取扱い得るようになっている。そして機構セット盤Ｃの収容設置部２９、つまり前記球貯留排出経路部４の送出樋４ｃ下端と、前記第１,第２の賞球路５,７および球抜き路９上端との間に形成された収容室２５内にケース体２６単位で収容され、球通路を送出樋４ｃおよび各路５,７,９に整合連絡した状態で後述する係合部８２,８３を利用して固定セットされるようになっている。前記ケース体２６は、前記収容室２５内の設置面に密着される１枚のベース板２６Ａに矩形のカバー２６Ｂが組付けられており、このケース体２６内の一側部(図４における右側)に、１列の球通路２８を垂下状に形成した樋２７が組込まれて、ベース板２６Ａとカバー２６Ｂとにビス固定されている。
【００１４】
そして、前述のケース体２６内に組込まれた前記球払出し部３０は、球貯留排出経路部４からの球を１個ずつ通入出検出するもので、図４および図５に例示するように、ベース板２６Ａの支持部３１に軸支持された回転スプロケット状の球送り体３２と、球送り体３２の回転・停止規制をなす規制片３６の切換え作動源である電磁ソレノイド３４と、第１,第２検出具３８,３９とを備えている。そして球送り体３２は、外周に形成した受け部３３(図示６個)を球通路２８内に臨ませて、１個ずつの球を受けて回転により放出し得る。また電磁ソレノイド３４は、図示のフラッパー形式例において、ベース板２６Ａに固定された金属製の支枠２５にコイルを巻回した磁力発生部(ボビンともいう)３４Ａを装着し、通電時に発生された励磁力を磁着部３４ａに集中的に作用し得、これに対して規制片３６は、支枠３５の一端に傾動可能に支持されてバネ３７で付勢され、磁着部３４ａとバネ３７を利用して球送り体３２の受け部３３を係合停止,離隔解放するようになっている。一方、第１,第２検出具３８,３９は、互いに１球分の検出間隔で配置されて球通路２８に臨み、通入球と通出球とを個々に検出するよう構成される。
【００１５】
このような球払出し部３０では、電源投入時の作動状態において、電磁ソレノイド３４の消磁(ＯＦＦ)により磁着部３４ａから解放された垂下状態の規制片３６が、球送り体３２を拘束した通常状態に付勢保持されている(図４参照)。従ってこの球送り体３２が、前記球貯留排出経路部４内に投入されて送出樋４ｃから球通路２８に入っている球の最先行(最下端)を、受け部３３に受入れた状態で停止されていることにおいて、第１検出具３８がこの球を直接有検出する。一方、電磁ソレノイド３４の励磁(ＯＮ)により磁着部３４ａに吸着された規制片３６が傾動変化して球送り体３２を解放すると、同球送り体３２が受けた１球の重みで回転して同球を放出することにおいて、第２検出具３９が放出球を直接有検出し、電磁ソレノイド３４が消磁復帰されるようになっている。なお第１,第２検出具３８,３９は、ともに光学センサータイプが使用される例において、前記第２の制御回路装置２２側に接続される制御基板(図示せず)に配置された発光ダイオードと、回路基板(図示せず)に配置された受光ダイオードとが組とされている。なお、球払出し部３０内での球詰り(判定)に対して、払出し用の電磁ソレノイド３４の作動により振動を発生させて球詰りを解消する制御として、例えば特願平１−２４９９７３号公報に開示の技術を採用可能である。また第２検出具３９の払出し球検出不良(故障)の判定処理の制御に関しては、例えば特願平１−２４９９７５号公報に開示の技術を採用し得る。更には、賞球(貯留球)の数量(検出間隔時間)に応じて球払出し速度を高速用モードと、低速用モードとに変更する制御に関しては、例えば特願平２−６７８９号公報や特願平５−２８５８２１号公報に開示の技術を採用することができる。
【００１６】
また前記球流路の切換えユニット装置Ｇは、前記第２電子制御装置２２で制御作動されるもとで、賞球および貸し球と貯留球とを切換え排出するもので、図１および図２に略示するように、前記機構セット盤Ｃの収容設置部２９内において前記賞球払出装置Ｆの下方に着脱可能にセットされる。この切換えユニット装置Ｇでは、基本的な構成として図４,図５,図１３および図１４に示すように、小型の方形箱体状にユニット化された合成樹脂製のケース体４１内に球通路を区画形成すると共に、この球通路に臨む部位に電動式の球切換え排出部４７を組付けて、ケース体毎に取扱い得るようになっている。そして、機構セット盤Ｃの前記収容設置部２９の収容室２５内において、前記賞球払出装置Ｆと第１の賞球路５および球抜き路９との間にケース体単位で収容され、球通路を前記球通路２８と該第１の賞球路５および球抜き路９に整合連結した状態で、後述する係合部８２,８３を利用して固定セットされるようになっている。なお前記ケース体４１は、前記収容室２５内の設置面に密着されるベース体４１Ａにコ字形のカバー４１Ｂが組付けられ、このケース体４１内の一側部(図４における右側)に球通路が画成されている。
【００１７】
そして本実施例の切換えユニット装置Ｇでは、前記ケース体４１の右部に形成された区画壁４２と前記カバー４１Ｂにより、前記賞球払出装置Ｆの球通路２８に整合連通される球入路４０が形成され、この球入路４０の下部から垂下状に延在して前記第１の賞球路５に連通される球払出し路４３が形成されると共に、前記球入路４０の下部から後方へ分岐されて傾斜状に延在して前記球抜き路９に連通される球戻し路４４が形成されており、前記ベース体４１Ａの略中央で上下に延在する支切り板４６と前記カバー４１Ｂの右側壁部とにより各路４０,４３,４４が覆蓋されている。なお、ベース体４１Ａの各部には組付け用のボスや台座等が配設されており、また球払出し路４３と球戻し路４４とは、図５に例示するように互いに略逆Ｖの字状に連通されて、その分岐連絡口部の一端に後述する切換え弁４９用の逃し凹部４５が形成されている。
【００１８】
また、前記ケース体４１内に組込まれた前記球切換え排出部４７は、図４,図５,図１３および図１４に示すように、前記ベース体４１Ａの仕切り板４６の左側に設置される電磁ソレノイド４８と、仕切り板４６の右側で回動可能に支持されるレバー状の切換え弁４９とで構成されている。前記電磁ソレノイド４８は、小型で方形の外郭体５２を有するロータリー式で、該外郭体５２内に組込まれた励磁力発生部５３に挿通した回動軸５４を回動可能に支持して、その一端部を支点軸部５４ａとして外郭体５２外に延出した状態に構成されている。そして、この小型のロータリー式の電磁ソレノイド４８は、前記ベース体４１Ａに一体成形された支片５０により画成された設置部５１に前記外郭体５２を収容し、支点軸部５４ａを前記球払出し路４３と球戻し路４４との分岐部位に延出させた状態にセットされる。すなわち、電磁ソレノイド４８が横向きにセットされ、球払出し路４３および球戻し路４４が該ソレノイド４８の側方に位置するので、殊にケース体４１の前後サイズが小さくなって切換えユニット装置Ｇが軽量かつ小型に構成されている。なお前記支切り板４６には、電磁ソレノイド４８の回動軸５４の挿通を許容する溝４６ａが形成されている。これに対して切換え弁４９は、図５に示すように、前記電磁ソレノイド４８の支点軸部５４ａに直結固定されて前記球払出し路４３と球戻し路４４との連絡部分内に位置し、前記回動軸５４の回動変位下に切換え保持されるようになっている。また前記支点軸部５４ａには、各端部を切換え弁４９と支切り板４６とに係止させて、該切換え弁４９に付勢力を付与するねじりばね５５が配設されている。
【００１９】
このように構成した球流路の切換えユニット装置Ｇでは、電源投入時の作動前状態において、電磁ソレノイド４８の消磁(ＯＦＦ)により回動軸５４がフリー状態にある場合には、前記ねじりばね５５による付勢力のもとに、前記切換え弁４９が回動軸５４を支点として起立払出し位置に保持され、球入路４０と球払出し路４３とを連通させて前記賞球払出装置Ｆから払出された球を該球払出し路４３側へ案内する(図１５(ａ)参照)。一方、電磁ソレノイド４８の励磁(ＯＮ)により回動軸５４が所定方向へ回動変位した場合には、前記切換え弁４９が該回動軸５４を支点として傾斜戻し位置に保持され、球入路４０と球戻し路４４とを連通させて前記賞球払出装置Ｆから払出された球を球戻し路４４側へ案内するようになっている(図１５(ｂ)参照)。なお、切換えユニット装置Ｇの球切換え排出部４７に関連する操作手段については、図１に略示した前記機構セット盤Ｃにレバー１３およびスイッチ１４が配置使用される例において、レバー１３の操作によりスイッチ１４が検出(ＯＮ)することに応答して、前記切換え用の電磁ソレノイド４８と払出し用の電磁ソレノイド３４とが夫々設定時間に亘り励磁されるようになっている。ちなみにレバー１３は、前枠Ｂに形成された操作孔に挿入された針金状の操作具(共に図示しない)の押込みによる操作と、外枠Ａから開放した前枠Ｂの裏側で指先による操作との何れも可能にされている。
【００２０】
前述のように構成された賞球払出装置Ｆと球流路の切換えユニット装置Ｇとは、前記機構セット盤Ｃに形成した収容設置部２９の収容室２５に対して、ビスやネジおよび工具等を一切使用せずに、片手操作による手早く簡単な組付けおよび組外しをなし得るようになっている。例えば図４,図６および図９は、賞球払出装置Ｆおよび切換えユニット装置Ｇの第１実施形態例に係る着脱形態を図示している。この第１実施形態例では、先ず切換えユニット装置Ｇにおいては、前記ケース体４１におけるカバー４１Ｂの左右両端部４１ａの上下部位に、係合部８３として左右外方へ延出した係止片(鉤状部)６５,６５が一体的に形成されており、また前記収容室２５の下部に臨む両側には、該係止片６５,６５が上方からスライドしながら係止し得る係合部８２としてのスライド溝(鉤状部)６６,６６が形成されている。従って、ケース体４１単位でユニット化された球流路の切換えユニット装置Ｇは、前記各係止片６５,６５を各スライド溝６６,６６の上方に整合させて位置決めした状態で下方へスライドさせれば、各係止片６５がスライド溝６６内に嵌入して収容室２５に固定セットされる。このとき、球払出し路４３の出口部が第１賞球路５の入口部に整合すると共に、球戻し路４４の出口部が球抜き路９の入口部に整合する(図５参照)。
【００２１】
また前記賞球払出装置Ｆにおいては、図４,図６および図９に示すように、前記ケース体２６におけるベース板２６Ａの下端部に、係合手段６１として下方へ延出した係止片(突部)６７,６７が一体的に形成されており、カバー２６Ｂの上面中央には、上方に延出した係合片部６８が一体的に形成されている。これら係止片６７,６７は、前記切換えユニット装置Ｇのベース体４１Ａの上面に凹設した係合手段６１としての係止凹部(凹孔部)６９,６９に整合するようになっており、賞球払出装置Ｆを上方からセットした際に各係止片６７が各係止凹部６９に嵌入して、収容室２５に固定セットされた該切換えユニット装置Ｇにより下部が固定保持されるようになっている。すなわち賞球払出装置Ｆと切換えユニット装置Ｇとは、前記係止片６７と係止凹部６９とによる上下の差込み形態により、互いのケース体２６,４１における上,下対向面で接触すると共に左右および前後の向きに位置決めされる。また前記係合片部６８には、収容室２５の上方に回動可能に配設された施錠部材７０に係合するようになっている。
【００２２】
前記施錠部材７０は、図４〜図９に示すように、前記収容室２５の上方にビス着されるカバー部材７１の外面から水平に延出した支点ボス７２に回動可能に配設され、該支点ボス７２が嵌挿する係合孔７４を形成した摘み部７３と、該摘み部７３の下端部から側方に延在する扇状の係合盤７５とを一体的に形成して構成されている。そして施錠部材７０は、前記支点ボス７２に対して左回転させると、前記係合盤７５が収容室２５の上端部から退避したロック解除位置に変位し(図９参照)、また該ボス７２に対して右回転させると、該係合盤７５が該収容室２５の上端部に位置したロック係止位置に変位するようになっている(図４参照)。すなわち、施錠部材７０をロック解除位置に保持させた状態において、前記球流路の切換えユニット装置Ｇを固定セットした収容室２５の上部に前記賞球払出装置Ｆを位置決めし、この状態で該施錠部材７０をロック係止位置に回動変位させれば、係合盤７５が前記係合片部６８に係合するようになり、前記係止片６７と係止凹部６９との係止作用および該係合盤７５と係合片部６８との係合作用下に、該賞球払出装置Ｆは収容室２５に固定セットされる。
【００２３】
前記係合片部６８には、図６に示すように、前記施錠部材７０における係合盤７５のカム縁７５ａが摺接する曲面状の係合面６８ａが形成されると共に、該係合盤７５の裏面端部に突設した突片７６が整合突入する係合溝７７が凹設されている。従って、施錠部材７０がロック係止位置に回動変位した際には、前記突片７６が係合溝７７に突入するようになり、該部材７０がロック係止位置に係止保持されてロック解除位置側への容易な回動変位が防止される。また、収容室２５にセットされた前記賞球払出装置Ｆおよび切換えユニット装置Ｇは、前記施錠部材７０がロック係止位置に保持されている状態においては、前記カム縁７５ａと係合面６８ａとが好適に当接することにより、上下方向への移動が好適に規制されている。なお実施例の施錠部材７０は、前記摘み部７３を把持して回動変位させることの他に、該摘み部７３に形成した六角孔７８に対応の工具(六角レンチ等)を係止させて回動変位させることも可能となっている。
【００２４】
また、前記球貯留排出経路部４における送出樋４ｃの出口部には、前記施錠部材７０の回動変位に連動して作動される球流通規制装置８５が配設され、該送出樋４ｃからのパチンコ球の通出規制を行ない得るようになっている。この球通流規制装置８５は、図７および図９〜図１２に示すように、送出樋４ｃの出口部側方に配設された支点ピン８６に揺動自在に枢支されて前記施錠部材７０に係着しながら姿勢制御される可動規制部材８７で構成されている。前記可動規制部材８７は、その一端側が前記支点ピン８６に枢支されると共に、揺動端側には前方へ延出した連繋ピン８８が一体的に形成されている。この連繋ピン８８は、図１０に示すように、前記施錠部材７０の係合盤７５に形成された係合口８０と前記カム縁７５ａに係合するようになっており、該施錠部材７０がロック係止位置とロック解除位置との間を回動変位する際に、連繋ピン８８と係合口８０およびカム縁７５ａの係合作用下に、可動規制部材８７の姿勢が制御されるようになっている。
【００２５】
例えば、前記施錠部材７０がロック解除位置に保持されている状態においては、図１１に示すように、前記連繋ピン８８が前記カム縁７５ａに係合するようになり、可動規制部材８７は揺動端側が前記送出樋４ｃへ延出した傾動規制状態に姿勢保持される。これにより送出樋４ｃに沿って流下するパチンコ球は、傾動規制状態に保持されている可動規制部材８７の規制弁８９に当接して、該送出樋４ｃからの流出が規制される。すなわち、前記施錠部材７０をロック解除位置に保持して前記賞球払出装置Ｆを収容室２５から取外す際には、送出樋４ｃからのパチンコ球の流出が好適に規制されるようになっている。一方、前記施錠部材７０をロック係止位置に変位させた際には、図１０に示すように、前記連繋ピン８８が前記係合口８０に係合するようになり、可動規制部材８７は揺動端側が前記送出樋４ｃから退避した規制解除状態に姿勢保持される。これにより送出樋４ｃに沿って流下するパチンコ球は、前記可動規制部材８７に規制されることなく該送出樋４ｃの出口部から流出する。すなわち、収容室２５にセットした前記賞球払出装置Ｆをロック係止位置に変位させた前記施錠部材７０で係止保持した際には、送出樋４ｃを流下するパチンコ球が該賞球払出装置Ｆの球通路２８内へ流入するようになる。
【００２６】
なお前記カバー部材７１には、図６および図７に示すように、施錠部材７０がロック係止位置とロック解除位置との間を回動するに際して、前記突片７６が移動する軌跡に対応した位置に、円弧状の突部７９が形成されている。これにより、施錠部材７０が回動変位する際には、前記突片７６が前記突部７９の上面に接触するようになり、該施錠部材７０の容易な回動変位を制御するようになっている。また、施錠部材７０がロック解除位置に変位した際には、図１２に示すように、前記突片７６と突部７９との当接が解除されると共に、該突部７９の端部に該突片７６が位置するようになり、両者７６,７９の係着により施錠部材７０がロック解除位置に保持され、これにより前記可動規制部材８７が傾動規制状態に保持される。
【００２７】
そして本実施例のパチンコ機のその他の構成として、図２に示すように、前記収容室２５を開放可能に覆蓋する開閉蓋６２が、機構セット盤Ｃに枢着されている。すなわち前記開閉蓋６２は、その下端部に機構セット盤Ｃに枢支される枢支軸６３,６３を一体的に形成すると共に、上端部には係着片６２ａが一体的に形成されている。また前記収容室２５の上方には、前記係着片６２ａに係脱可能なロック部材６４が回動可能に配設されている。従って、閉成した前記開閉蓋６２により収容室２５内が略完全に覆蓋されるので、該収容室２５に固定セットした賞球払出装置Ｆおよび切換えユニット装置Ｇは、当該パチンコ機が遊技に供されている際に塵埃やたばこの煙等から隔離保護され、確実かつ安定した作動を長期間に亘って維持することが可能となる。
【００２８】
ここで、本実施例のパチンコ機の各部に配設された電気部品類および前記賞球払出装置Ｆの電気部品類に係る入出力制御系統について付記すると、図１６に略示するように、前記第１の電子制御装置２１に遊技盤(図示しない)に配置されたスイッチ等が接続されて、ゲームおよび賞球排出に係る制御処理がなされる。一方、前記第２の電子制御装置２２に、前記カードユニットＥのカードリーダ２３、インターフェースボード２４、球貸し操作用のスイッチ５９および貸し球用のスイッチ１１と、前記セーフ球検出処理装置Ｄのスイッチ１７および電磁ソレノイド１９と、前記球払出し部３０の電磁ソレノイド３４および第１,第２検出具３８,３９と、前記球切換え排出部４７の電磁ソレノイド４８および球抜き用のスイッチ１４が夫々接続されて、貸し球と賞球との区分払出し、セーフ球検出処理、そして球抜きに係る夫々の制御処理がなされる。なお第２の電子制御装置２２では、球抜き用のスイッチ１４の１回の検出信号を有効入力して、球抜き指令により切換え用の電磁ソレノイド４８、次いで払出し用の電磁ソレノイド３４を各々の時間(例えば５０秒と４５秒)に亘り励磁し、そしてリセットスイッチ６０の入力条件で次の球抜き用検出信号を有効入力可能に設定されている。
【００２９】
【実施例の作用】
前述した本実施例のパチンコ機では、該パチンコ機の組立製造時に、球流路の切換えユニット装置Ｇおよび賞球払出装置Ｆとを、機構セット盤Ｃに形成した収容設置部２９の収容室２５に片手操作で固定セットすることができ、極めて簡単かつ容易な組付けが可能となっている。すなわち、先ず切換えユニット装置Ｇは、各係止片６５,６５が各スライド溝６６,６６の上方に整合するよう位置決めし、この状態で下方へスライド操作するだけで各係止片６５がスライド溝６６内に嵌入し、これにより収容室２５に固定セットされる。また賞球払出装置Ｆは、前記切換えユニット装置Ｇを収容室２５に固定セットした状態において、係止片６７を該切換えユニット装置Ｇの係止凹部６９に嵌入させると共に、施錠部材７０をロック係止位置に回動変位させるだけで収容室２５に固定セットされる。これにより、賞球払出装置Ｆと切換えユニット装置Ｇとは、係止片６７と係止凹部６９との係合により左右および前後方向に位置決めされて、上下方向に連設した状態で収容室２５に固定セットされる。すなわち、係合部８３としての係止片６５と係合部８２としてのスライド溝６６との係合により、前記切換えユニット装置Ｇが収容室２５に取着されると共に、係合手段６１としての係止片６７と係止凹部６９との係合と、係合片部６８と施錠部材７０との係合とにより、前記賞球払出装置Ｆが収容室２５に取着され、ビスやネジおよび工具等を一切使用せずに片手操作により手早く簡単に組付け得る。なお、施錠部材７０がロック係止位置に変位していることにより、前記可動規制部材８７が規制解除状態に姿勢保持されるので、送出樋４ｃに沿って流下するパチンコ球は、前記賞球払出装置Ｆの球通路２８内に流入して球払出し部３０における球送り体３２に至る。
【００３０】
前述のように構成された本実施例のパチンコ機では、遊技ホール内の設置枠台にカードユニットＥと共に設置されて遊技に供し得る。そして、カードユニットＥに対するカードの挿入並びに機前側での球貸し操作により、機構セット盤Ｃの賞球払出装置Ｆから払出された貸し球を上球皿側へ給出して収容し得る。このもとで遊技操作(打球発射操作)を行なうことにより、機内の発射位置に１球ずつ送込まれた遊技球を遊技盤内に打出して所要のゲームを展開し得る。そうして、ゲーム中に発生したアウト球を機構セット盤Ｃの排出路２から機外へ排出し、またセーフ球を処理路３からセーフ球検出処理装置Ｄに導入して１球ずつ停留検出処理した後に機外へ排出する一方、このセーフ球の検出処理に対して賞球払出装置Ｆから設定数の賞球を払出して上球皿または下球皿へ給出するようになっている。そして、球抜き必要時の操作により球貯留排出経路部４内の貯留球を、賞球払出装置Ｆの解放状態で抜出して球抜き路９から機外へ排出することができる。
【００３１】
そこで、このようなパチンコ機に実施された賞球払出装置Ｆおよび球流路の切換えユニット装置Ｇにおける球排出作動状態について、各図を参照しながら説明する。先ず貸し球の払出しについては、貸し球用のスイッチ１１の球有り検出入力条件にあって、カードが挿入されて球貸し用のスイッチ５９が操作されたことに基づいて球払出し部３０が作動される。すなわち、同スイッチ５９の操作入力に対するカードリーダ２３，インターフェースボード２４および第２の電子制御装置２２間での制御処理および球貸し指令に基づいて、賞球払出装置Ｆの球払出し部３０が作動されて電磁ソレノイド３４の制御作動(励磁と消磁)および規制片３６の切換え、第１,第２検出具３８,３９の球有り検出入力並びに球送り体３２のピッチ回動により、所定数の球(例えば球貸し金額１００円に対して貸し球２５個)が１球ずつ払出され、切換えユニット装置Ｇにおける球払出し路４３から第１賞球路５へ排出され、供給口６から上球皿へ給出される。この貸し球の具体的な排出状態を図５および図１５(ａ)で観ると、全ての貸し球は、球送り体３２の受け部３３から解放された以降、第２検出具３９でカウント検出されて球入路４０へ通入し、起立払出し位置に保持されている切換え弁４９に沿って球払出し路４３側へ通出された後に、第１賞球路５へ排出される。
【００３２】
またセーフ球に対する賞球の払出しについては、図２および図３に示す前記セーフ球検出処理装置Ｄでのセーフ球検出毎に賞球払出装置Ｆの球払出し部３０が作動される。すなわち、前記処理路３から通路１６に通入して規制処理部材１８のストッパー１８ｂにより検出位置で停留されたセーフ球をスイッチ１７が検出した条件にあって、同検出入力に対する第１,第２の電子制御装置２１,２２間でのセーフ球信号と賞球信号との処理および払出し指令に基づいて、球払出し部３０が前述と同様な態様で作動されて(図５および図１５(ａ)参照）、電磁ソレノイド３４の制御作動および規制片３６の切換えに従う球送り体３２のピッチ回動により、所定数の球(例えば５〜１５個の賞球)が１球ずつ払出されて、球入路４０,球払出し路４３から第１賞球路５に通出され、供給口６から上球皿または第２賞球路７から下球皿へ給出される。そして、払出された所定数最後の賞球が第２検出具３９でカウント検出された時点に基づいて、当該回の払出し作動が終了されて電磁ソレノイド３４の消磁、規制片３６の復帰に従い球送り体３２が停止保持される。なお、払出し終了後セーフ球検出処理装置Ｄでは、第２の電子制御装置２２からのセーフ球解放指令に基づいて、電磁ソレノイド１９が１回作動(励磁と消磁)されることにより、規制処理部材１８の切換えに従い検出位置のセーフ球が解放されて機外へ排出され、次のセーフ球が検出位置に入って停止される(図３参照)。
【００３３】
一方貯留球の球抜きについては、球抜き操作に基づいて、球流路の切換えユニット装置Ｇの球切換え排出部４７と、賞球払出装置Ｆの球払出し部３０が順次作動される。すなわち、前記球抜き用のスイッチ１４が操作されたことにより、この検出入力に対する第２の電子制御装置２２での制御処理および球抜き指令に基づいて球切換え排出部４７が切換え作動されて、電磁ソレノイド４８の励磁による回動軸５４の回動と共に切換え弁４９が傾斜戻し位置に切換え保持される(図５および図１５(ｂ)参照)。これに次いで(例えば１.５秒後)球払出し部３０が開放作動されて、電磁ソレノイド３４の励磁により規制片３６が磁着変位されて球送り体３２を解放する。この結果、同球送り体３２が球通路２８内の球を受けながら連続フリー回転するもとで、１球ずつ放出された球貯留排出経路部４内の貯留球が、切換え弁４９で変向案内されながら球戻し路４４に通出して球抜き路９から機外へ抜出される。そうして、設定時間経過後の球抜き指令終了時に、球払出し部３０が元状復帰されてソレノイド３４の消磁により、規制片３６が変位復帰して球送り体３２を停止保持する。これに次いで(例えば３.５秒後)球切換え排出部４７が元状復帰されてソレノイド４８の消磁により回転軸５４がフリーとなり、ねじりばね５５の付勢力下に切換え弁４９が元の起立払出し位置(図１５(ａ)の位置)に保持される。
【００３４】
なお前述の球抜き作動では、球貯留排出経路部４内で多少の球流れ遅れが発生したとしても、双方のソレノイド３４,４８の励磁時間設定により全球を的確に抜出すことができる。そして球抜き後においては、補給設備の運転により新たな相当量の球が球タンク４ａ内に投入されることにより、球払出し部３０の球通路２８内の所定位置(球送り体３２の受止め位置)から球貯留排出経路部４内の全体に亘り通入(収容)されて、前述した貸し球,賞球の払出しが可能とされる。ちなみに、前記賞球払出装置Ｆおよび球流路の切換えユニット装置Ｇに係る第２の電子制御装置２２での別設定例として、球貸し操作信号は賞球払出し指令の終了後に入力可能とされ、また球抜き操作信号の入力以後は入力不可(無効)とされる。賞球払出し信号は、球貸し指令の終了以後に入力可能とされ、また球抜き操作信号の入力以後は入力不可(無効)とされる。また球抜き操作信号は、貸し球,賞球の払出し指令の終了以後に１回だけ有効入力可能とされる。
【００３５】
また本実施例のパチンコ機では、前述のように遊技ホール内の設置枠台に設置されて遊技に供されている際の適時に行なわれるメンテナンス作業時に、前記賞球払出装置Ｆや球流路の切換えユニット装置Ｇを、収容室２５から片手操作で簡単かつ容易に取外すことが可能である。すなわち、前記施錠部材７０をロック解除位置へ回動操作して係合盤７５と係合片部６８との係合を解除した状態において賞球払出装置Ｆを手前上方に引出せば、係止片６７と係止凹部６９との係合が解除して該賞球払出装置Ｆを簡単に取外すことができる。また、前記賞球払出装置Ｆを収容室２５から取外した状態において、前記切換えユニット装置Ｇを上方へ引上げれば、各係止片６５と各スライド溝６６との係合が解除して該切換えユニット装置Ｇも簡単に取外すことが可能である。このように、第１実施形態例に係る両装置Ｆ,Ｇの着脱形態では、工具によるネジやビス等の弛み外し作業を全く要しないから、片手作業により手早く簡単に組外し得る。なお、前記施錠部材７０がロック解除位置に保持されている状態においては、前記球流通規制装置８５における可動規制部材８７が傾斜規制状態に姿勢保持されるので、例えば球貯留排出経路部４内にパチンコ球が残留していたとしても、該パチンコ球が送出樋４ｃから流出することはない。
【００３６】
図１７は、賞球払出装置Ｆおよび切換えユニット装置Ｇの第２実施形態例に係る着脱形態を例示したものである。すなわち切換えユニット装置Ｇにおいては、前記ケース体４１におけるカバー４１Ｂの下端部４１ｂに、下方へ延出した係合片部１００が一体的に形成されており、また収容室２５の下端部には、該係合片部１００が上方から嵌入し得る係合孔１０１が形成されている。従って、ケース体４１単位でユニット化された切換えユニット装置Ｇは、前記係合片部１００を係合孔１０１に対して上方から嵌入させることにより、該ケース体４１の下部側が固定された状態で収容室２５に設置される。なお、収容室２５に切換えユニット装置Ｇのみが設置された状態では、ケース体４１の上部側は該収容室２５に係着されていないから、該装置Ｇは仮セット状態となっている。
【００３７】
また前記賞球払出装置Ｆにおいては、前記ケース体２６の左右両端部２６ａに、係合部８３として左右外方に延出した係止片(鉤状部)１０２,１０２が一体的に形成され、収容室２５の上部に臨んだ両側には、該係止片１０２,１０２が上方からスライドしながら係止し得る係合部８２としてのスライド溝(鉤状部)１０３,１０３が形成されている。また前記第１実施形態例と同様に、前記ケース体２６におけるベース板２６Ａの下端部に、前記切換えユニット装置Ｇのベース体４１Ａの上面に凹設した係止凹部(凹孔部)６９,６９に整合する係止片(突部)６７,６７が一体的に形成され、係合手段６１としての該係止片６７と係止凹部６９とによる上下の差込み形態により、賞球払出装置Ｆと切換えユニット装置Ｇとは左右および前後の向きに位置決めされる。更に前記ケース体２６の上面中央には、上方に延出した係合片部６８が一体的に形成され、収容室２５の上方に回動可能に配設された施錠部材７０に係合するようになっている。
【００３８】
前述した第２実施形態例に係る着脱形態を採用したパチンコ機では、球流路の切換えユニット装置Ｇおよび賞球払出装置Ｆを、機構セット盤Ｃに形成した収容設置部２９の収容室２５に対し、片手操作による極めて簡単かつ容易な組付けが可能となっている。すなわち、収容室２５に対する両装置Ｆ,Ｇの組付けに際しては、先ず係合片部１００を係合孔１０１に嵌入させることで、切換えユニット装置Ｇを収容室２５に仮セットする。次いで、各係止片６５,６５を各スライド溝１０３,１０３に上方から係合させた後に、施錠部材７０をロック係止位置に回動変位させることで、賞球払出装置Ｆを収容室２５に固定セットする。この際に係止片６７が係止凹部６９に嵌入するので、賞球払出装置Ｆと切換えユニット装置Ｇは上下方向に連設した状態で収容室２５に固定セットされ、ビスやネジおよび工具等を一切使用せずに片手操作により手早く簡単に組付け得る。
【００３９】
また、前述した第２実施形態例に係る着脱形態を採用したパチンコ機では、球流路の切換えユニット装置Ｇおよび賞球払出装置Ｆとを、機構セット盤Ｃに形成した収容室２５から極めて簡単かつ容易な組外しが可能である。すなわち両装置Ｆ,Ｇの組外しに際しては、前記施錠部材７０をロック解除位置へ回動操作して係合盤７５と係合片部６８との係合を解除した状態において賞球払出装置Ｆを上方へ引上げれば、各係止片１０２と各スライド溝１０３との係合が解除すると共に係止片６７と係止凹部６９との係合も解除し、該該賞球払出装置Ｆを簡単に取外すことができる。また、前記賞球払出装置Ｆを収容室２５から取外した後に、前記切換えユニット装置Ｇを上方手前へ引出せば、係合片部１００と係合孔１０１との係合が解除して、該切換えユニット装置Ｇも簡単に取外すことが可能である。このように、第２実施形態例に係る両装置Ｆ,Ｇの着脱形態においても、工具によるネジやビス等の弛み外し作業を全く要しないから、片手操作により手早く簡単に組外し得る。
【００４０】
更に本実施例のパチンコ機では、前述したように、賞球払出装置Ｆおよび切換えユニット装置Ｇの組外しが極めて簡単かつ容易に行ない得るので、例えば当該パチンコ機を廃棄処理するに際し、部品毎の分解作業の迅速化および合理化を図り得る。
【００４１】
なお、前記第１実施形態例および第２実施形態例では、賞球払出装置Ｆのケース体２６と切換えユニット装置Ｇのケース体４１とを上下に係脱し得る係合手段６１として、該ケース体２６の下面に下方へ突出した係止片６７を形成すると共にケース体４１の上面に上方に開口した係止凹部６９を形成した形態を例示したが、ケース体４１の上面に上方に突出した係止片を形成すると共にケース体２６の下面に下方に開口した係止凹部６９を形成した形態としても、両ケース体２６,４１を左右および前後の向きに位置決めされて上下の向きに係脱し得る。
【００４２】
【変更例】
図１８は、本発明のパチンコ遊技機における切換えユニット装置の変更例を示す分解斜視図であり、また図１９は、該球切換え排出部における切換え弁の動作態様を示す縦断側面図である。この変更例に係る切換えユニット装置Ｇ1では、前記実施例で示した切換えユニット装置Ｇに対し、ケース体４１おけるカバー４１Ｂの前面に形成した設置部９３に、出没式のスイッチボタン９１を該ケース体２６内に指向させた保全スイッチ９０が装備され、また前記切換え弁４９の側方には、該スイッチボタン９１を押圧する押圧片９２が一体的に形成されている。この保全スイッチ９０は、スイッチボタン９１の非押圧状態ではＯＦＦ状態に保持され、切換え弁４９が傾斜戻し位置へ回動変位して押圧片９２がスイッチボタン９１を押圧している間だけＯＮ状態とされる「ａ接点」タイプのもので、第２の電子制御装置２２に接続されている(図１６参照)。そして、前記球抜き用のスイッチ１４が操作された条件において前記保全スイッチ９０がＯＦＦ状態となると、切換え弁４９の非検出条件が第２の電子制御装置２２に入力され、球払出し部３０が払出し解放不能状態に制御されて払出し用の電磁ソレノイド３４が停止制御される。すなわち、切換え弁４９が傾斜戻し位置に位置していることを検出する保全スイッチ９０を装備することにより、例えばパチンコ機の前側から挿入させた針金等の不正物を利用した貯留球の不正抜取りを好適に阻止し得る。なお、カバー４１Ｂの側面に円弧状の細長通孔９４を形成してあり、切換え弁４９の側面に形成した操作孔９５に該通孔９４を介して差込んだ操作杆を係止させて、該切換え弁４９を手動で回動操作可能となっている。
【００４３】
このように構成した切換えユニット装置Ｇ1では、前枠Ｂから挿入した操作杆により前記球抜き用のスイッチ１４を操作すると、球切換え排出部４７における切換え用の電磁ソレノイド４８が励磁して、回転軸５４の回動変位により切換え弁４９が傾斜戻し位置に切換え保持される。このとき、切換え弁４９の押圧片９２が保全スイッチ９０のスイッチボタン９１を押圧することにより、該保全スイッチ９０がＯＮ状態となり、切換え弁４９の検出条件が第２の電子制御装置２２に入力されると共に、払出し用の電磁ソレノイド３４が作動制御されて貯留球が払出される。
【００４４】
そして、貯留球の球抜出し状態において、前記不正物を供給口６および第１賞球路５を介して球払出し路４３側へ侵入させると、該不正物の先端が切換え弁４９に当接して該切換え弁４９が起立払出し位置側へ回動し、押圧片９２によるスイッチボタン９１の押圧が解除される。すなわち、前記保全スイッチ９０がＯＦＦ状態となって切換え弁４９の非検出条件が第２の電子制御装置２２に入力されるから、前記払出し用の電磁ソレノイド３４が消磁されて貯留球の払出しが中止される。従って、不正物により前記切換え弁４９を強制的に起立払出し位置まで回動変位させ得たとしても、前記払出し用の電磁ソレノイド３４が消磁されるから、以後の貯留球の払出しが規制されて球払出し路４３の上流部にあった１,２個の球しか抜き取ることができない。
【００４５】
また図２０は、球切換え排出部４７における球払出し路４３と球戻し路４４を、逆Ｙ字状に形成した変更例を例示したもので、電磁ソレノイド４８の回動軸５４に配設した切換え弁４９が、左右に傾動変位可能に配設されている。そして、貸し球の払出しおよび賞球の払出しに際しては、切換え弁４９を右方へ傾動させた球払出し位置に保持させ、パチンコ球を球払出し路４３側へ通出案内する。また、貯留球の球抜きに際しては、前記電磁ソレノイド４８の励磁による回動軸５４の回動下に、切換え弁４９を左方へ傾動させた球戻し位置に保持させ、貯留球を球戻し路４４側へ通出案内する。
【００４６】
【発明の効果】
以上に説明した如く、本発明のパチンコ遊技機によれば、球払出し部のケース体と球切換え排出部のケース体との互いの整合対向面に突部と凹孔部とからなる係合手段を形成したことにより、該球払出し部と球切換え排出部とを前後および左右の向きに位置決めした状態で係着し得る。そして両ケース体を係着する前提において、少なくとも一方にケース体の外側に形成した係合部を、収容室の所定位置に形成した係合部に上方から係合し得るよう構成したから、両係合部の係合作用下に当該ケース体が収容室に係着されると共に、前記係合手段の係着により他方のケース体も該収容室に係着されるに至る。すなわち本発明のパチンコ機では、収容室に対する球払出し部と球切換え排出部の組付けに際してネジやビスおよび工具等を一切使用せずに、係合手段の係着および係合部同志の係着を利用した片手操作による組付けが可能となり、簡単かつ迅速な着脱作業をなし得る利点がある。またネジやビスを使用していないから、前記球払出し部や球切換え排出部を片手操作で簡単かつ容易に収容室から組外すことができ、遊技ホール内の設置枠台に設置されて遊技に供されているパチンコ機のメンテナンス作業の効率化を図り得る利点もある。更に当該遊技機の廃棄処理に際しても、前記球払出し部と球切換え排出部を収容室から簡単に組外し得るから、各部品毎の分解作業の迅速化および合理化を図って廃棄処理に係るコスト低減を実現し得る等の有益な効果を奏する。更にまた、施錠部材をロック係止位置に回動変位して係合盤を係合片部に係合することで、球払出し部と球切換え排出部を収容室に固定セットし得ると共に、該施錠部材をロック解除位置へ回動変位して係合盤と係合片部との係合を解除することで、収容室から球払出し部と球切換え排出部を簡単に取外し得る。なお、収容室にセットされた球払出し部と球切換え排出部は、施錠部材がロック係止位置に保持されている状態においては、カム縁と係合面とが好適に当接することにより、上下方向への移動が好適に規制される。
また本発明によれば、施錠部材がロック係止位置に回動変位した際には、突片が係合溝に突入するようになり、施錠部材がロック係止位置に係止保持されてロック解除位置側への容易な回動変位が防止される。
更に本発明によれば、施錠部材をロック解除位置に保持して球払出し部を収容室から取外す際には、送出樋からのパチンコ球の流出を可動規制部材で好適に規制できる。また、収容室にセットした球払出し部をロック係止位置に変位させた施錠部材で係止保持した際には、可動規制部材による規制を解除して送出樋を流下するパチンコ球を球払出し部へ通出させ得る。更に、施錠部材が回動変位する際には、突片が突部に接触することで、該施錠部材の容易な回動変位を制御し得る。更にまた、施錠部材がロック解除位置に変位した際には、突部と突片の係着により施錠部材をロック解除位置に保持でき、これにより可動規制部材を規制状態に保持し得る。
【図面の簡単な説明】
【図１】カードユニットを併設したパチンコ機の背面図である。
【図２】パチンコ機裏側の機構セット盤に配設した球処理部の背面図である。
【図３】セーフ球検出処理装置を作動変化状態で示す正面図である。
【図４】賞球払出装置および球流路の切換えユニット装置をケースの一部破断状態で示す正面図である。
【図５】賞球排出装置および球流路の切換えユニット装置を一部断面状態で示す縦断正面図である。
【図６】機構セット盤の収容設置部,賞球払出装置,切換えユニット装置,施錠部材および球流通規制装置を示す分解斜視図である。
【図７】施錠部材および球流通規制装置の分解斜視図である。
【図８】施錠部材および球流通規制装置の組付け状態を示す横断平面図である。
【図９】収容設置部に対する賞球払出装置と球流路の切換えユニット装置の第１実施形態例に係る着脱形態を示す正面図である。
【図１０】ロック係止位置に回動変位した施錠部材に連動して球流通規制装置が規制解除状態に姿勢変位した状態を一部破断して示す作動説明図である。
【図１１】ロック解除位置に回動変位した施錠部材に連動して球流通規制装置が流通規制状態に姿勢変位した状態を一部破断して示す作動説明図である。
【図１２】図１１における施錠部材の係合盤と可動規制部材の連繋ピンとの係合状態を拡大して示す説明図である。
【図１３】球流路の切換えユニット装置の分解斜視図である。
【図１４】収容設置部に取付けられた球流路の切換えユニット装置の横断平面図である。
【図１５】切換え弁の起立払出し位置と傾斜戻し位置とで示す球流路の切換えユニット装置の縦断側面図である。
【図１６】制御系統のブロック図である。
【図１７】収容設置部に対する賞球払出装置と球流路の切換えユニット装置の第２実施形態例に係る着脱形態を示す正面図である。
【図１８】切換え弁の球戻し位置への変位を検出可能なスイッチを装備した球流路の切換えユニット装置を示す分解斜視図である。
【図１９】図１８に示す球流路の切換えユニット装置を、切換え弁の起立払出し位置と傾斜戻し位置とで示す縦断側面図である。
【図２０】球払出し路および球戻し路の形態変更例を示す側面図である。
【図１】
0004114089.tif 000002
【図２】
0004114089.tif 000003
【図３】
0004114089.tif 000004
【図４】
0004114089.tif 000005
【図５】
0004114089.tif 000006
【図６】
0004114089.tif 000007
【図７】
0004114089.tif 000008
【図８】
0004114089.tif 000009
【図９】
0004114089.tif 000010
【図１０】
0004114089.tif 000011
【図１１】
0004114089.tif 000012
【図１２】
0004114089.tif 000013
【図１３】
0004114089.tif 000014
【図１４】
0004114089.tif 000015
【図１５】
0004114089.tif 000016
【図１６】
0004114089.tif 000017
【図１７】
0004114089.tif 000018
【図１８】
0004114089.tif 000019
【図１９】
0004114089.tif 000020
【図２０】
0004114089.tif 000021